(57)【特許請求の範囲】
【請求項１】
前面板（１）の両側の側辺と、背面板（２）の両側の側辺をそれぞれ連結し、前記両側辺を互いに接近させて前記前面板（１）と前記背面板（２）をそれぞれ外向きに膨らませるように湾曲させ、両板（１、２）の間に空間を形成して、この空間に商品（Ｐ）を収納するようにした包装箱において、
前記前面板（１）と前記背面板（２）の下端に、折目線（ｆ）を介して突片（３）をそれぞれ連設し、前記突片（３）は、その横方向中央が折り込み片（７）であり、この折り込み片（７）の左右両側に順に支持片（８）、起立片（９）を折目線（ｆ）を介してそれぞれ連設したものであって、前記支持片（８）と、前記折り込み片（７）及び前記起立片（９）とをそれぞれ画する２本の折目線（ｆ、ｆ）は、前記前面板（１）及び前記背面板（２）と前記突片（３）との間の折目線（ｆ）上で交差し、両突片（３、３）のうち一方の突片（３）の前記起立片（９）に、連結片（１０）を折目線（ｆ）を介して連設し、
前記両突片（３、３）を、前記前面板（１）及び前記背面板（２）の内面側に沿うようにそれぞれ折り返し、この折り返した状態で前記連結片（１０）と、この連結片（１０）を形成した突片（３）と対向する突片（３）に形成した前記起立片（９）とを貼り合わせ、前記商品（Ｐ）の収納の際に、前記折り込み片（７）は前記内面側に沿う状態を維持しつつ前記起立片（９）が前記空間内に起立し、この起立に伴って前記折り込み片（７）及び前記起立片（９）の両方に連設した前記支持片（８）は、その一方の折目線（ｆ）側で両板（１、２）に沿いつつ、他方の折目線（ｆ）側で起立片（９）によって引き起こされ、両板（１、２）の下端から上向きに、かつ斜め方向に張り出すように起立して、前記折り込み片（７）によって隣り合う前記支持片（８）と離間された、前面板（１）側及び背面板（２）側それぞれ２つの前記支持片（８）で、収納した商品（Ｐ）を支持するようにしたことを特徴とする包装箱。
【請求項２】
前記支持片（８）の前記商品（Ｐ）の支持端（８ａ）に、前記商品（Ｐ）の底部形状に沿う湾曲部を形成したことを特徴とする請求項１に記載の包装箱。
【請求項３】
前記起立片（９）に、収納した前記商品（Ｐ）に当接する突起部（１２）を形成したことを特徴とする請求項１又は２に記載の包装箱。
【請求項４】
前記前面板（１）又は前記背面板（２）の少なくとも一方の上端に、箱体内に商品（Ｐ）を収納した際の上部開口形状と同形状の蓋板（４）を折目線（ｆ）を介して連設し、この蓋板（４）に、前記商品（Ｐ）が当接する係止部（１１）を形成したことを特徴とする請求項１〜３のいずれか一つに記載の包装箱。
【発明の詳細な説明】
【技術分野】
【０００１】
この発明は、化粧品等の商品を収納する包装箱に関する。
【背景技術】
【０００２】
化粧品の瓶等の破損しやすい商品を収納する包装箱は、搬送中の破損を防止するため、この包装箱の内側に衝撃吸収材等の商品支持部材を設けることが多い。例えば、下記特許文献１に示す衝撃吸収材（支持部材）は、段ボールに、収納する商品がちょうど嵌まり込む切り込み等を形成し、これを立体的に組み立てたものである。この組み立てた支持部材は包装箱に入れられて、収納した商品をがたつきなく保持する。
【先行技術文献】
【特許文献】
【０００３】
【特許文献１】特開平７−２９１３５５号公報
【発明の概要】
【発明が解決しようとする課題】
【０００４】
上記特許文献１に示す支持部材は、包装箱本体とは別部材であって、この支持部材を組み立てた上で包装箱に入れ、商品を収納しなければならず、その作業が煩雑である。また、この支持部材を商品の収納作業前に予め組み立てておけば、その煩雑さは若干解消するが、組み立て済みの嵩高い支持部材を一時的にストックしておく場所を確保しなければならず、不便なことが多い。
【０００５】
そこで、この発明は、支持部材を備えた包装箱への商品の収納作業を簡便に行うことを課題とする。
【課題を解決するための手段】
【０００６】
上記課題を解決するため、この発明は、支持部材と包装箱本体を一体に構成し、商品の収納作業の際に、包装箱に立体的に組み立てた支持部材を入れる工程を行わなくても良いようにした。さらに、商品の収納前においては、包装箱及び支持部材が折り畳まれた状態として省スペース化を図る一方で、収納作業において包装箱を立体的に組み立てた際に、支持部材も同時に立体的に組み立てられるようにし、この収納作業の効率を大幅に向上し得るようにした。
【０００７】
この発明の構成として、前面板の両側の側辺と、背面板の両側の側辺をそれぞれ連結し、前記両側辺を互いに接近させて前記前面板と前記背面板をそれぞれ外向きに膨らませるように湾曲させ、両板の間に空間を形成して、この空間に商品を収納するようにした包装箱において、前記前面板と前記背面板の下端に、折目線を介して突片をそれぞれ連設し、前記突片は、その横方向中央が折り込み片であり、この折り込み片の左右両側に順に支持片、起立片を折目線を介してそれぞれ連設したものであって、前記支持片と前記折り込み片及び前記起立片とをそれぞれ画する２本の折目線は、前記前面板及び前記背面板と前記突片との間の折目線上で交差し、両突片のうち一方の突片の前記起立片に、連結片を折目線を介して連設し、前記両突片を、前記前面板及び前記背面板の内面側に沿うようにそれぞれ折り返し、この折り返した状態で前記連結片と、この連結片を形成した突片と対向する突片に形成した前記起立片とを貼り合わせ、前記商品の収納の際に、前記折り込み片は前記内面側に沿う状態を維持しつつ前記起立片が前記空間内に起立し、この起立に伴って前記起立片に連設した前記支持片も前記空間内に起立して、前記折り込み片によって隣り合う前記支持片と離間された、前面板側及び背面板側それぞれ２つの前記支持片で、収納した商品を支持するようにした。
【０００８】
また、この支持片は、その両隣に折り込み片と起立片が連設されている。この折り込み片は、包装箱の折り畳み状態あるいは組み立て状態のいずれの状態においても、前記前面板又は前記背面板に沿う状態を保っている。その一方で、起立片は、包装箱の折り畳み状態では前記前面板等に沿う状態を保っているが、包装箱の組み立て状態では、前記前面板等から起立した状態となる。これは、前面板と背面板の側辺同士を接近させて、この前面板と背面板をそれぞれ外向きに湾曲させて（外向きに膨らませた状態として）、両板の間に空間を形成すると、この空間を跨ぐように、連結片によって連結された起立片が互いに引き合うからである。
【０００９】
このように起立片が起立すると、この起立片に連設された支持片も起立しようとする。ところが、この支持片の前記折り込み片に連設された側は、折り込み片に拘束されて起立することができない。このため、この支持片は、前記前面板又は前記背面板の下端から斜め上向きに起立することとなる。
【００１０】
このように、斜め上向きに起立した支持片は、商品の底面と接触してこの商品を支持し、包装箱の下側への落下を防止する底板として機能する。これと同時に、商品に下向きの衝撃が加わった場合に、前記支持片が下向きに撓んで、その衝撃を緩和する支持部材としての機能も発揮する。
【００１１】
この突片を構成する折り込み片、支持片、及び起立片は、包装箱の折り畳み時はその箱体内に折り畳まれた状態で収納されていて、コンパクトで保管性に優れている。また、この包装箱の組み立てとともに、支持部材の組み立て（支持片の起立）も同時になされるため、商品の収納作業をスムーズに行い得る。
【００１２】
また、前記構成においては、前記支持片の前記商品の支持端に、前記商品の底部形状に沿う湾曲部を形成するのが好ましい。
【００１３】
この湾曲部の形状は、収納する商品の底部形状に対応して適宜決められる。例えば、底部中央が外周部と比較して上向きに凸形状をなす場合、起立した前記支持片の先端部付近に上方向への丸みを持たせ、この先端部が前記底部中央付近にちょうど沿うようにすれば、この支持片で商品の底部を安定的に支持することができる。
【００１４】
また、前記各構成においては、前記起立片に、収納した前記商品に当接する突起部を形成するのが好ましい。
【００１５】
この突起部は、商品の例えば側面に当接してがたつきを抑制し、この商品が包装箱内で偏った状態となるのを防止することができる。
【００１６】
また、前記各構成においては、前記前面板又は前記背面板の少なくとも一方の上端に、箱体内に商品を収納した際の上部開口形状と同形状の蓋板を折目線を介して連設し、この蓋板に、前記商品が当接する係止部を形成するのが好ましい。
【００１７】
この係止部は、商品の上部のがたつきを抑制し、これにより支持部材による商品の支持状態を安定し得る。このため、商品の破損防止機能が一層高まる。
【発明の効果】
【００１８】
この発明では、商品の破損を防止する支持部材と包装箱本体を一体に構成した。商品の収納作業前においては、包装箱及び支持部材が折り畳まれた状態となっており、省スペース化を図ることができる。その一方で、収納作業においては、この包装箱を組み立てた際に、支持片等から構成される支持部材も同時に立体的に組み立てられるため、商品の収納作業の効率を大幅に向上し得る。
【図面の簡単な説明】
【００１９】
【図１】この発明に係る包装箱の第一の実施形態を示す斜視図
【図２】図１に示す包装箱の展開図
【図３Ａ】図１に示す包装箱の組み立て工程において、突片を折り返しつつある状態を示す斜視図
【図３Ｂ】図３Ａの工程に引き続いて、突片の折り込み片を包装箱の内面側に貼り付けた状態を示す斜視図
【図３Ｃ】図３Ｂの工程に引き続いて、前面板を背面板側に折り返しつつある状態を示す斜視図
【図３Ｄ】図３Ｃの工程に引き続いて、背面板に、前面板に連設した連結片を貼り付けた状態を示す斜視図
【図４】包装箱に商品を収納した状態を示す正面図
【図５】図４中のＶ−Ｖ線に沿う断面図
【図６】図４に示す包装箱の底面図
【図７】図４に示す包装箱の蓋板付近の要部斜視図
【図８】この発明に係る包装箱の第二の実施形態を示す展開図
【図９】図８に示す包装箱の底部付近を示す要部斜視図
【図１０】この発明に係る包装箱に対する参考例の実施形態を示す展開図
【図１１】図１０に示す包装箱の底部付近を示す要部斜視図
【発明を実施するための形態】
【００２０】
この発明に係る包装箱の第一の実施形態の斜視図を図１に、展開図を図２にそれぞれ示す。この包装箱は、前面板１の両側の側辺と、背面板２の両側の側辺をそれぞれ連結し、前記両側辺を互いに接近させて前面板１と背面板２をそれぞれ外向きに膨らませるように湾曲させ、両板１、２の間に空間を形成して、この空間に商品Ｐを収納するようにしたものである（図１を参照）。
【００２１】
この包装箱は、前面板１と、背面板２と、前面板１及び背面板２の下端に折目線ｆを介して連設された突片３と、前面板１及び背面板２の上端に折目線ｆを介して連設された蓋板４とを備えている。前面板１の側辺には、連結片５が折目線ｆを介して連設されている。また、前面板１には窓部６が形成されていて、この窓部６から包装箱内に収納した商品Ｐが見えるようになっている。
【００２２】
前面板１及び背面板２の下端に連設された突片３には、その横方向中央部に折り込み片７が形成されており、この折り込み片７の左右両側に、順に支持片８、起立片９が折目線ｆを介して対称に連設されている。支持片８と、折り込み片７及び起立片９とをそれぞれ画する二本の折目線ｆ、ｆは、前面板１及び背面板２と突片３との間の折目線ｆで交差している。これらの折目線ｆの交差点から、前面板１及び背面板２の上向きに、それぞれ罫線ｍが形成されている。この罫線ｍを形成すると、後述する包装箱の組み立ての際に、前面板１及び背面板２を、この罫線ｍに沿って容易に曲げることができるため、その作業性が高まる。前面板１の下端に連設された突片３の左右両端には、折目線ｆを介して連結片１０が連設されている。
【００２３】
支持片８の商品Ｐと当接する支持端８ａは湾曲形状をしており、この支持端８ａが商品Ｐの底部にちょうど沿うことによって、収納した商品Ｐを安定的に保持し得るようにしている。この支持端８ａの形状は、図示のものに限定されず、商品Ｐの底部の形状に合わせて適宜変更するのが好ましい。
【００２４】
背面板２側の蓋板４には、係止部１１が形成され、収納した商品Ｐの上部を二つの係止部１１、１１で挟み込むことにより、この商品Ｐを安定的に保持し得るようにしている。
【００２５】
この包装箱の組み立て工程の斜視図を図３Ａ〜図３Ｄに示す。まず、前面板１及び背面板２に連設した突片３を、包装箱の内側にそれぞれ折り返す（図３Ａを参照）。そして、折り返した突片の折り込み片７の網掛け部分に糊を塗布し、この折り込み片７を前面板１及び背面板２の内面側に貼り付ける（図３Ｂを参照）。
【００２６】
次に、前面板１に連設した連結片５の網掛け部分に糊を塗布し、前面板１を背面板２側に折り返して、連結片５を背面板２に貼り付ける。これとともに、一方の起立片９に連設した連結片１０を折り返し、この連結片１０の網掛け部分にも糊を塗布し、他方の（対向する）起立片９に貼り付ける（図３Ｃを参照）。これで商品収納前の前準備が完了する。
【００２７】
この前準備段階の包装箱は、折り込み片７、支持片８、及び起立片９から構成される支持部材は包装箱本体の内側に折り畳まれていて、全体としてフラットでコンパクトな状態となっている（図３Ｄを参照）。このため、折り畳んだ包装箱を重ね合わせて保管しておくことができ、この保管のために広いスペースを必要としない。
【００２８】
この支持部材は、包装箱本体を立体的に組み立てる際に、同時に立体的に組み立てられ、図４及び５に示すように、その組み立てた状態で包装箱内に商品Ｐを収納することができる。収納された商品Ｐは、図６に示すように、その底部が支持片８の支持端８ａに当接して安定的に保持される。しかも、図７に示すように、その頭部が二つの係止部１１、１１に挟み込まれるように当接してがたつきが防止されるため、搬送中等における破損が防止される。
【００２９】
前記支持部材の組み立ては、次のようにしてなされる。まず、前面板１と背面板２の両側辺を互いに接近させて、前面板１と背面板２をそれぞれ外向きに膨らませるように湾曲させて両板１、２を離間させる。すると、この離間に伴って両板１、２に連設した突片３の起立片９も互いに離間しようとする。ところが、対向する起立片９、９は、上述したように互いに連結片１０によって連結されているため、両起立片９、９の自由な離間が妨げられる。このため、両起立片９、９が次第に両板１、２から引き起こされる。
【００３０】
その一方で、両板１、２に貼り付けた折り込み片７は、包装箱本体の組み立ての際に、両板１、２に沿った状態が維持される。このため、折り込み片７と起立片９の両方に連設された支持片８は、その一方の折目線ｆ側で両板１、２に沿いつつ、他方の折目線ｆ側で起立片９によって引き起こされた状態となる。すなわち、この支持片８は、両板１、２の下端から上向きに、かつ斜め方向に張り出すように起立することとなる。
【００３１】
この斜め上向き方向に起立した支持片８で商品Ｐを支持すると、この商品Ｐに上下方向の衝撃が加わったときに、この支持片８が下向きに撓みやすいため、その衝撃を効果的に緩和することができる。また、この支持片８同士の間には隙間が形成されるため、この隙間を通して、商品Ｐの底部に記載したロット番号等を容易に読み取ることができる。
【００３２】
商品Ｐの収納後に、前面板１及び背面板２の上端に連設した蓋板４を内側に折り込んで、商品Ｐの箱詰め作業を完了する。
【００３３】
この発明に係る包装箱の第二の実施形態の展開図を図８に、斜視図を図９にそれぞれ示す。この包装箱は、図１に示した包装箱の構成とほぼ同じであるが、支持片８の形状が若干異なっている。この支持片８は、包装箱を立体的に組み立てた際に、四つの支持片８の支持端８ａがほぼ水平に、かつ四角形状に配置されるように構成されている。この支持片８の支持端８ａの形状は、収納する商品Ｐの底部の形状に合わせて適宜変更することもできる。この支持片８同士の間には隙間があるため、図１等に示した包装箱と同様に、この隙間を通して、商品Ｐの底部に記載したロット番号等を容易に読み取ることができる。
【００３４】
起立片９の先端には突起部１２（図８を参照）が形成され、この突起部１２が、収納した商品Ｐの下部に当接する。この当接により、商品Ｐのがたつきを防止して、搬送中等における破損を防止している。
【００３５】
この発明に係る包装箱に対する参考例の実施形態の展開図を図１０に、要部斜視図を図１１にそれぞれ示す。第一及び第二の実施形態においては、支持片８同士の間に隙間を設け、この隙間から商品Ｐの底部が見える構成としたが、この実施形態のように、隙間を設けない構成とすることもできる。第二の実施形態と参考例の実施形態の展開図を比較すると、第二の実施形態では突片３に形成した支持片８の支持端８ａ同士のなす角度は約１６０度であったのに対し（図８中の矢印θ１を参照）、参考例の実施形態では前記角度は約１００度である（図１０中の矢印θ２を参照）。
【００３６】
このように、支持端８ａ同士のなす角度を小さくすると、包装箱を組み立てた際に両支持端８ａ、８ａを互いに当接した状態（前記隙間を閉じた状態）とすることもできる。前記隙間が閉じるための前記角度は、包装箱の形状（組み立て時の前面板１と背面板２の距離等）によって変わるため、その設計段階において適宜決定する。
【００３７】
上記の各実施形態では前面板１に窓部６を形成したが、この窓部６は不要であれば省略することもできる。また、蓋板４に形成する係止部１１、及び起立片９に形成する突起部１２は、いずれの実施形態においても、適宜追加又は省略することができる。
【符号の説明】
【００３８】
１  前面板
２  背面板
３  突片
４  蓋板
５  連結片
６  窓部
７  折り込み片
８  支持片
８ａ  支持端
９  起立片
１０  連結片
１１  係止部
１２  突起部
ｆ  折目線
ｍ  罫線
【図１】
0005637814.tif 000002
【図２】
0005637814.tif 000003
【図３Ａ】
0005637814.tif 000004
【図３Ｂ】
0005637814.tif 000005
【図３Ｃ】
0005637814.tif 000006
【図３Ｄ】
0005637814.tif 000007
【図４】
0005637814.tif 000008
【図５】
0005637814.tif 000009
【図６】
0005637814.tif 000010
【図７】
0005637814.tif 000011
【図８】
0005637814.tif 000012
【図９】
0005637814.tif 000013
【図１０】
0005637814.tif 000014
【図１１】
0005637814.tif 000015